(57)【要約】【課題】外部から電力を供給されなくても環境の変化を自動的に記録することができる記録装置を提供する【解決手段】記録装置１のバッテリ５００がＯＮされると、バッテリ５００は、記録装置１の各構成部に電力を供給する。ＣＰＵ６１０は、電力が供給されると、時計回路３００から周期的なタイミング信号が供給されたか否かを判別する。供給されたと判別すると、ＣＰＵ６１０は、温度測定回路１１１と湿度測定回路１２１とにタイミング信号を供給して、温度と湿度とを測定し、測定時間と温度及び湿度とを対応付けた湿度データとを記録回路４００に記録する。タイミング信号が供給されなかったと判別すると、ＣＰＵ６１０は、衝撃測定回路２１１から衝撃データが供給されたか否かを判別する。供給された場合、衝撃測定回路２１１で測定時間と衝撃値とを対応付けた衝撃値データを生成し、記録回路４００に記録する。【選択図】図１
2009199694.tif 000002
【特許請求の範囲】
【請求項１】
第１の物理量を測定する第１の測定手段と、
第２の物理量を測定する第２の測定手段と、
時間を計時し、所定の間隔で周期的に信号を供給するタイマ部と、
前記第１の物理量と前記第１の物理量が測定された時間とを対応付けて記憶する第１の記憶手段と、
前記第２の物理量と前記第２の物理量が測定された時間とを対応付けて記憶する第２の記憶手段と、
前記第１の測定手段と第２の測定手段とに動作電力を供給し、前記第１の記憶手段と第２の記憶手段とに記憶を維持するための電力を供給するバッテリと、
前記タイマ部が前記信号を供給したか否かを判別し、判別結果と前記第２の測定手段が測定した第２の物理量とに基づいて、前記第１の測定手段に前記第１の物理量を測定させ、前記第１の記憶手段に前記第１の測定手段が測定した第１の物理量と測定した時間とを対応付けて記憶させる、又は、前記第２の記憶手段に前記第２の測定手段が測定した第２の物理量と測定した時間とを対応付けて記憶させる制御手段と、
を備えることを特徴とする記録装置。
【請求項２】
前記制御手段は、前記タイマ部が信号を供給したと判別したとき、前記第１の測定手段に前記第１の物理量を測定させ、前記第１の記憶手段に前記第１の測定手段が測定した第１の物理量と測定した時間とを対応付けて記憶させる、
ことを特徴とする請求項１に記載の記録装置。
【請求項３】
前記制御手段は、前記タイマ部が信号を供給しなかったと判別した場合、前記第２の測定手段が測定した第２の物理量と所定の第２の物理量との大小を判別し、前記第２の物理量が所定の第２の物理量よりも大きいと判別したときに、前記第２の記憶手段に前記第２の物理量と測定した時間とを対応付けて記憶させる、
ことを特徴とする請求項１又は２に記載の記録装置。
【請求項４】
前記制御手段は、前記タイマ部が信号を供給したと判別した場合、前記バッテリに前記第１の測定手段へと動作電力を供給させ、前記第１の測定手段に前記第１の物理量を測定させ、前記第１の記憶手段に前記第１の測定手段が測定した第１の物理量と測定した時間とを対応付けて記憶させたときに、前記バッテリに前記第１の測定手段への動作電力の供給を停止させる、
ことを特徴とする請求項１乃至３のいずれか１項に記載の記録装置。
【請求項５】
前記第１の物理量は、温度及び湿度のうち少なくともいずれか１つである、
ことを特徴とする請求項１乃至４のいずれか１項に記載の記録装置。
【請求項６】
前記第２の物理量は、応力及び衝撃のうち少なくともいずれか１つである、
ことを特徴とする請求項１乃至５のいずれか１項に記載の記録装置。
【請求項７】
前記第１の測定手段は、温度センサ、湿度センサ及び温湿度センサのうち少なくともいずれか１つである、
ことを特徴とする請求項５又は６に記載の記録装置。
【請求項８】
前記第２の測定手段は、応力センサ及び衝撃センサのうち少なくともいずれか１つである、
ことを特徴とする請求項６又は７に記載の記録装置。
【発明の詳細な説明】
【技術分野】
【０００１】
本発明は、記録装置に関し、特に記録装置の周囲の環境に関する情報を自動的に記録する機能を備える記録装置に関する。
【背景技術】
【０００２】
一般に、ハードディスクドライブ（Hard Disk Drive、以下HDD）等は、周囲の温度、湿度が高い場合に劣化が進み、故障が発生する可能性が高くなる。例えば、高温の場合、データの読み取りを行うヘッドの浮上量が低下する。すると、ヘッドとメディアとが接触する確率が高くなり、故障が発生しやすくなる。そこで、ＨＤＤ等に故障が発生した場合、故障原因を特定するために、ＨＤＤ等の出荷後の流通過程およびユーザ先での稼働中の温度・湿度等の変化を把握することが重要である。
【０００３】
関連のある技術として、特許文献１に開示された記録装置がある。この記録装置は、温度、衝撃等を測定するセンサと、タイマと、センサで測定した測定結果を格納するメモリチップと、を備える。この記録装置は、一定のしきい値以上の温度等を測定すると、測定結果と測定した時刻とを対応付けてメモリチップに格納する。
【特許文献１】特開２００５−０７１０６８号公報（第６，７頁、図１，２）
【発明の開示】
【発明が解決しようとする課題】
【０００４】
しかしながら、特許文献１に開示された記録装置は、外部から電力の供給を受けなければ、センサ等の各構成部を作動させることができない。したがって、特許文献１に開示された記録装置は、外部から電力を供給されない流通過程等では、温度変化などを記録することができないという問題があった。
【０００５】
本発明は、上記実情に鑑みてなされたものである。本発明は、外部から電力を供給されなくても環境の変化を自動的に記録することができる記録装置を提供することを目的とする。
【課題を解決するための手段】
【０００６】
上記目的を達成するために、本発明の第１の観点に係る記録装置は、第１の物理量を測定する第１の測定手段と、第２の物理量を測定する第２の測定手段と、時間を計時し、所定の間隔で周期的に信号を供給するタイマ部と、前記第１の物理量と前記第１の物理量が測定された時間とを対応付けて記憶する第１の記憶手段と、前記第２の物理量と前記第２の物理量が測定された時間とを対応付けて記憶する第２の記憶手段と、前記第１の測定手段と第２の測定手段とに動作電力を供給し、前記第１の記憶手段と第２の記憶手段とに記憶を維持するための電力を供給するバッテリと、前記タイマ部が前記信号を供給したか否かを判別し、判別結果と前記第２の測定手段が測定した第２の物理量とに基づいて、前記第１の測定手段に前記第１の物理量を測定させ、前記第１の記憶手段に前記第１の測定手段が測定した第１の物理量と測定した時間とを対応付けて記憶させる、又は、前記第２の記憶手段に前記第２の測定手段が測定した第２の物理量と測定した時間とを対応付けて記憶させる制御手段と、を備えることを特徴とする。
【発明の効果】
【０００７】
本発明によれば、外部から電力を供給されなくても環境の変化を自動的に記録することができる記録装置を提供することができる。
【発明を実施するための最良の形態】
【０００８】
以下、図面を参照して本発明の実施の形態について説明する。
【０００９】
（第１の実施の形態）
本実施の形態の記録装置１について、図１を参照して説明する。
記録装置１は、図１に示すように、温度センサ１１０と、温度測定回路１１１と、湿度センサ１２０と、湿度測定回路１２１と、衝撃センサ２１０と、衝撃測定回路２１１と、時計回路３００と、記録回路４００と、バッテリ５００と、コントロール部６００と、を備える。なお、図１において、バッテリ５００が供給する電力を伝送するための電力供給経路を破線矢印で示し、各構成部が相互に信号を伝送するための信号伝送経路を実線矢印で示す。
記録装置１は、ＨＤＤ等のデバイスに設置され、デバイスが置かれている環境、例えば温度など、を時系列で記録する。
【００１０】
温度センサ１１０は、例えばサーミスタ等から構成され、記録装置１が設置されたデバイスの温度を測定する。温度センサ１１０は、温度測定回路１１１に接続され、温度を測定して、温度信号を温度測定回路１１１に供給する。また、温度センサ１１０は、温度測定回路１１１を介して、バッテリ５００から動作電力を供給される。したがって、温度センサ１１０は、記録装置１の外部から電力を供給されない場合でも、デバイスの温度を測定することができる。
【００１１】
温度測定回路１１１は、コントロール部６００から周期的に供給されるタイミング信号に従って、温度センサ１１０から供給される温度信号を取得する。そして、温度測定回路１１１は、取得した温度信号とタイミング信号とに基づいて温度と測定した時間とを対応付けたデータを生成し、記録回路４００に供給する。また、温度測定回路１１１は、電源回路（図示せず）を介して、バッテリ５００から動作電力を供給される。したがって、温度測定回路１１１は、記録装置１の外部から動作電力を供給されない場合でも、温度センサ１１０から供給される温度信号とコントロール部６００から供給されるタイミング信号とに基づいて温度データを生成し、記録回路４００に供給することができる。
【００１２】
湿度センサ１２０は、例えばセラミック湿度センサ等から構成され、デバイス周囲の湿度を測定する。湿度センサ１２０は、湿度測定回路１２１に接続され、湿度を測定して、湿度信号を湿度測定回路１２１に供給する。また、湿度センサ１２０は、湿度測定回路１２１を介して、バッテリ５００から動作電力を供給される。したがって、湿度センサ１２０は、記録装置１の外部から動作電力を供給されない場合でも、デバイス周囲の湿度を測定することができる。
【００１３】
湿度測定回路１２１は、コントロール部６００から周期的に供給されるタイミング信号に従って、湿度センサ１２０から供給される湿度信号を取得する。そして、湿度測定回路１２１は、取得した湿度信号とタイミング信号とに基づいて湿度と測定した時間とを対応付けた湿度データを生成し、記録回路４００に供給する。また、湿度測定回路１２１は、電源回路（図示せず）を介して、バッテリ５００から電力を供給される。したがって、湿度測定回路１２１は、記録装置１の外部から動作電力を供給されない場合でも、湿度センサ１２０から供給される湿度信号とコントロール部６００から供給されるタイミング信号とに基づいて湿度データを生成し、記録回路４００に供給することができる。
【００１４】
衝撃センサ２１０は、例えば圧電素子等から構成され、デバイスに加わった衝撃を検出する。衝撃センサ２１０は、衝撃測定回路２１１に接続され、デバイスに加わった衝撃を検出して、衝撃信号を衝撃測定回路２１１に供給する。また、衝撃センサ２１０は、衝撃測定回路２１１を介して、バッテリ５００から動作電力を供給される。したがって、衝撃センサ２１０は、記録装置１の外部から動作電力を供給されない場合でも、デバイスに加わった衝撃を検出することができる。
【００１５】
衝撃測定回路２１１は、まず、衝撃センサ２１０から供給される衝撃信号を取得し、衝撃信号が示す衝撃値がしきい値を超えるか否かを判別する。衝撃値がしきい値を超えると判別した場合、衝撃測定回路２１１は、コントロール部６００に衝撃信号を供給し、コントロール部６００から時間を示すタイマ信号を取得する。そして、衝撃測定回路２１１は、衝撃信号とタイマ信号とに基づいて衝撃値データを生成し、記録回路４００に供給する。また、衝撃測定回路２１１は、電源回路（図示せず）を介して、バッテリ５００から動作電力を供給される。したがって、衝撃測定回路２１１は、記録装置１の外部から動作電力を供給されない場合でも、衝撃センサ２１０から供給される衝撃信号とコントロール部６００から供給されるタイマ信号とに基づいて衝撃値データを生成し、記録回路４００に供給することができる。
【００１６】
時計回路３００は、時間を計時して、計時した時間を示すタイマ信号をコントロール部６００に供給するとともに、所定の間隔でタイミング信号を同じくコントロール部６００に供給する。また、時計回路３００は、電源回路（図示せず）を介して、バッテリ５００から動作電力を供給される。したがって、時計回路３００は、記録装置１の外部から動作電力を供給されない場合でも、コントロール部６００にタイマ信号とタイミング信号とを供給することができる。
【００１７】
記録回路４００は、例えばＲＡＭ（Random Access Memory）等から構成され、各測定回路で生成された測定データを記録する。記録回路４００は、温度データを記憶する温度データ記録領域４１０と、湿度データを記憶する湿度データ記録領域４２０と、衝撃値データを記憶する衝撃値データ記録領域と、を備える。
また、記録回路４００は、コントロール部６００の制御のもと、所定のタイミングでコントロール部６００のＲＯＭ６２０
また、記録回路４００は、バッテリ５００からデータを維持するための電力を供給される。したがって、記録回路４００は、記録装置１の外部から電力を供給されない場合でも、記録したデータを維持することができる。
【００１８】
バッテリ５００は、記録装置１の各構成部に電力を供給する。具体的には、例えば、バッテリ５００は、温度測定回路１１１、湿度測定回路１２１および衝撃測定回路２１１に動作電力を供給する。また、バッテリ５００は、例えば、記録したデータを維持するための電力を記録回路４００に供給する。
【００１９】
コントロール部６００は、ＣＰＵ（Central Processing Unit）６１０、フラッシュＲＯＭ（Flash ROM）６２０から構成される。
ＣＰＵ６１０は、フラッシュＲＯＭ６２０に格納されたプログラムに従って、記録装置１全体を制御する。
フラッシュＲＯＭ６２０は、ＣＰＵ６１０が実行するプログラムデータ及び記録回路４００から供給された測定データを記録する。
【００２０】
ＣＰＵ６１０は、例えば、時計回路３００から供給されたタイミング信号を取得して温度測定回路１１１と湿度測定回路１２１とにタイミング信号を供給する。そして、温度測定回路１１１と湿度測定回路１２１とに温度データと湿度データとを生成させ、記録回路４００の各記録領域に記憶させる。
また、ＣＰＵ６１０は、例えば、衝撃測定回路２１１から衝撃信号が供給されると、現在の時刻を示すタイマ信号を衝撃測定回路２１１に供給する。そして、ＣＰＵ６１０は、衝撃測定回路２１１に衝撃値データを生成させ、記録回路４００の衝撃値データ記録領域に記憶させる。
また、ＣＰＵ６１０は、時計回路３００から供給されるタイマ信号に基づいて、周期的に記録回路４００の各記録領域に記録されている測定データをコントロール部６００のフラッシュＲＯＭ６２０に記録する。
【００２１】
（第２の実施の形態）
本実施の形態に係る記録装置をディスクアレイ装置に適用する例について、図２，３を参照して説明する。
【００２２】
本実施の形態に係るディスクアレイ装置３は、記録装置１と、ディスクアレイ部２と、を備える。ディスクアレイ装置３は、ＨＤＤ等の記録媒体を複数格納する。
【００２３】
記録装置１は、第１の実施の形態で説明した記録装置と同一の構成を備える。記録装置１は、ディスクアレイ部２の温度、湿度及びディスクアレイ部２に加わる衝撃を測定し、時系列で記録する。
なお、記録装置１の時計回路３００は、コントロール部６００にタイマ信号とタイミング信号とを供給するとともに、データ取り込み信号を供給する。「データ取り込み信号」とは、コントロール部６００のＣＰＵ６１０が周期的に記録回路４００の各記録領域に記録されている測定データを取り込んで、フラッシュＲＯＭ６２０に記録するタイミングを示す信号である。
【００２４】
ディスクアレイ部２は、ＨＤＤ等の記録媒体が複数格納されており、記録装置１が設けられている。
【００２５】
次に、記録装置１の動作について説明する。
具体的には、ＣＰＵ６１０がディスクアレイ部２の温度等を自動的に測定し、記録する測定データ記録処理を実行する。この処理について、図３に示すフローチャートを参照して説明する。
【００２６】
バッテリ５００がＯＮされると、バッテリ５００は、記録装置１の各構成部への電力供給を開始する。
【００２７】
コントロール部６００に電力が供給されると、ＣＰＵ６１０は、測定データ記録処理を開始する。
【００２８】
まず、ＣＰＵ６１０は、時計回路３００から所定の周期で供給されるタイミング信号が供給されたか否かを判別する（ステップＳ１００）。
【００２９】
タイミング信号を供給されたと判別した場合（ステップＳ１００；Ｙｅｓ）、ＣＰＵ６１０は、温度測定回路１１１と湿度測定回路１２１とにタイミング信号を供給し、ディスクアレイ部２の温度と湿度とを測定する（ステップＳ１１０）。次に、ＣＰＵ６１０は、温度測定回路１１１で生成した温度データと湿度測定回路１２１で生成した湿度データとを、記録回路４００の温度データ記録領域４１０と湿度データ記録領域４２０とに記憶する（ステップＳ１２０）。そして、処理をステップＳ１００に戻す。
【００３０】
タイミング信号を供給されなかったと判別した場合（ステップＳ１００；Ｎｏ）、ＣＰＵ６１０は、衝撃測定回路２１１から衝撃信号が供給されたか否かを判別する（ステップＳ１３０）。
【００３１】
衝撃信号が供給されたと判別した場合（ステップＳ１３０；Ｙｅｓ）、ＣＰＵ６１０は、衝撃測定回路２１１に現在の時間を示すタイマ信号を供給する。そして、ＣＰＵ６１０６００は、衝撃測定回路２１１で生成した衝撃値データを記録回路４００の衝撃値データ記録領域４３０に記憶する（ステップＳ１４０）。
【００３２】
衝撃信号が供給されなかったと判別した場合（ステップＳ１３０；Ｎｏ）、ＣＰＵ６１０は、データ取り込み信号が供給されたか否かを判別する（ステップＳ１５０）。データ取り込み信号が供給されなかったと判別した場合（ステップＳ１５０；Ｎｏ）、ＣＰＵ６１０は、処理をステップＳ１００に戻す。データ取り込み信号が供給されたと判別した場合（ステップＳ１５０；Ｙｅｓ）、ＣＰＵ６１０は、記録回路４００の各記録領域に記録されている測定データを取り込んで、コントロール部６００のフラッシュＲＯＭ６２０に記録する（ステップＳ１６０）。その後、ＣＰＵ６１０は、処理をステップＳ１００に戻す。
【００３３】
図４に示すタイムチャートを参照して、記録装置１の動作の実施例について説明する。
ＣＰＵ６１０は、図４（ｂ）に示すように、時計回路３００からタイマ信号を取得して、時間データを生成する。そして、ＣＰＵ６００は、図４(ａ)に示すように、３０分間隔で時計回路３００からタイミング信号が供給されると、温度測定回路１１１と湿度測定回路１２１にタイミング信号を供給する。
温度測定回路１１１は、温度センサ１１０から図４(ｃ)に示すような温度信号が供給されるが、図４(ｄ)に示すように、タイミング信号を取得したときだけ温度データを生成し、記録回路４００に供給する。
湿度測定回路１２１も同様に、湿度センサ１２０から図４(ｅ)に示すような湿度信号が供給されるが、図４(ｆ)に示すように、タイミング信号を取得したときだけ湿度データを生成し、記録回路４００に供給する。
一方、衝撃測定回路２１１は、任意のタイミングで衝撃センサ２１０から図４(ｈ)に示すような衝撃信号Ｐ１〜Ｐ３が供給される。衝撃測定回路２１１は、衝撃信号Ｐ１〜Ｐ３全てに基づいて衝撃値データを生成せずに、図４(ｇ)に示すような衝撃しきい値よりも大きい衝撃信号Ｐ１，Ｐ２が供給されたときにのみ、図４(ｉ)に示すように衝撃データを生成し、記録回路４００に供給する。
そして、ＣＰＵ６１０は、図４(ｊ)に示すように、時計回路３００からデータ取り込み信号が供給されると、図４(ｋ)に示すように、記録回路４００から温度データ、湿度データ及び衝撃値データを取り込み、コントロール部６００のフラッシュＲＯＭ６１０に記録する。
【００３４】
記録装置１が上記の構成を備えて、ディスクアレイ部２に加わる温度・湿度・衝撃を自動的に記録することで、外部からの電力供給がない流通過程等においてもディスクアレイ部２に加わる温度・湿度・衝撃の計時変化の履歴が残り、不具合原因を容易に特定することができ、品質をより容易に管理することができる。
【００３５】
（第３の実施の形態）
第２の実施の形態では、バッテリ５００は、測定データ記録処理を実行している間、常に温度測定回路１１１と湿度測定回路１２１とに電力を供給していた。
【００３６】
しかしながら、温度測定回路１１１と湿度測定回路１２１とに電力が必要なのは、時計回路３００からタイミング信号がコントロール部６００に供給されるときだけである。したがって、タイミング信号がコントロール部６００に供給されるときに、バッテリ５００に温度測定回路１１１及び湿度測定回路１２１に電力を供給させれば、電力の消費を抑制することができる。
【００３７】
そこで、タイミング信号が供給される場合にのみ温度測定回路１１１と湿度測定回路１２１とに電力が供給される測定データ記録処理について、図５，６を参照して説明する。
【００３８】
本実施の形態に係るディスクアレイ装置５の構成を図５に示す。ディスクアレイ装置１と異なる点は、記録装置４のコントロール部６００からバッテリ５００へ制御信号を供給する信号伝送経路が設けられている点だけである。
【００３９】
次に、記録装置４の具体的な動作について、図６のフローチャートを参照して説明する。
【００４０】
バッテリ５００がＯＮされると、バッテリ５００は、温度測定回路１１１及び湿度測定回路１２１以外の記録装置４の各構成部への電力供給を開始する。
【００４１】
バッテリ５００から電力が供給されると、ＣＰＵ６１０は、測定データ記録処理を開始する。
【００４２】
まず、ＣＰＵ６１０は、時計回路３００から所定の周期で供給されるタイミング信号が供給されたか否かを判別する（ステップＳ１００）。
【００４３】
タイミング信号が給されたと判別した場合（ステップＳ１００；Ｙｅｓ）、ＣＰＵ６１０は、動作電力が供給されていない温度測定回路１１１と湿度測定回路１２１とに動作電力を供給する（ステップＳ２００）。動作電力を供給すると、ＣＰＵ６１０は、温度測定回路１１１と湿度測定回路１２１とにタイミング信号を供給し、ディスクアレイ部２の温度と湿度とを測定する（ステップＳ１１０）。次に、ＣＰＵ６１０は、温度測定回路１１１で生成した温度データと湿度測定回路１２１で生成した湿度データとを、記録回路４００の温度データ記録領域４１０と湿度データ記録領域４２０とに記録する（ステップＳ１２０）。その後、ＣＰＵ６１０は、温度測定回路１１１と湿度測定回路１２１とへの動作電力の供給を停止し（ステップＳ２１０）、処理をステップＳ１００に戻す。
【００４４】
タイミング信号が供給されなかったと判別した場合（ステップＳ１００；Ｎｏ）、ＣＰＵ６１０は、衝撃測定回路２１１から衝撃信号が供給されたか否かを判別する（ステップＳ１３０）。
【００４５】
衝撃信号が供給されたと判別した場合（ステップＳ１３０；Ｙｅｓ）、ＣＰＵ６１０は、衝撃測定回路２１１に現在の時間を示すタイマ信号を供給する。そして、ＣＰＵ６１０は、衝撃測定回路２１１で生成した衝撃値データを記録回路４００の衝撃値データ記録領域４３０に記録する（ステップＳ１４０）。
【００４６】
衝撃信号が供給されなかったと判別した場合（ステップＳ１３０；Ｎｏ）、ＣＰＵ６１０は、データ取り込み信号が供給されたか否かを判別する（ステップＳ１５０）。データ取り込み信号が供給されなかったと判別した場合（ステップＳ１５０；Ｎｏ）、ＣＰＵ６１０は、処理をステップＳ１００に戻す。データ取り込み信号が供給されたと判別した場合（ステップＳ１５０；Ｙｅｓ）、ＣＰＵ６１０は、記録回路４００の各記録領域に記録されている測定データを取り込んで、コントロール部６００のフラッシュＲＯＭ６２０に記録する（ステップＳ１６０）。その後、ＣＰＵ６１０は、処理をステップＳ１００に戻す。
【００４７】
この測定データ記録処理により、バッテリ５００は、温度と湿度とを測定するときのみ温度測定回路と湿度測定回路とに電力を供給するため、バッテリ５００の電力の消費を抑制することができる。したがって、第１の実施の形態に係る記録装置１と比較して、記録装置２は、より長い期間ディスクアレイ部２の環境の変化を測定し、測定データを記録することができる。
【００４８】
以上、本発明の実施の形態について説明したが、本発明を実施するにあたっては、種々の形態による変形及び応用が可能であり、上記実施の形態に限られるものではない。
【００４９】
上述の説明では、デバイスに加わる衝撃を測定する衝撃センサを設けたが、デバイスに加わる応力を測定する応力センサを設けてもよい。
【００５０】
また、上述の説明では、温度センサで温度を測定し、湿度センサで湿度を測定していたが、温湿度センサで温度、湿度ともに測定してもよい。
【００５１】
また、測定する物理量が「温度、湿度、衝撃」の３種類であったが、物理量の種類を任意に変更してもよい。
【００５２】
また、デバイスの測定箇所も１箇所に限らず、複数箇所で測定してもよい。
【００５３】
また、タイミング信号及びデータ取り込み信号が供給される周期も任意に変更してもよい。
【図面の簡単な説明】
【００５４】
【図１】第１の実施の形態に係る記録装置の構成例を示す図である。
【図２】第２の実施の形態に係るディスクアレイ装置の構成例を示す図である。
【図３】第２の実施の形態に係る記録装置で実行される測定データ記録処理のフローチャートである。
【図４】第２の実施の形態に係る記録装置の実施例の説明のために用いるタイムチャートである。
【図５】第３の実施の形態に係るディスクアレイ装置の構成例を示す図である。
【図６】第３の実施の形態に係る記録装置で実行される測定データ記録処理のフローチャートである。
【符号の説明】
【００５５】
１，４・・・記録装置、２・・・ディスクアレイ部、３，５・・・ディスクアレイ装置、１１０・・・温度センサ、１１１・・・温度測定回路、１２０・・・湿度センサ、１２１・・・湿度測定回路、２１０・・・衝撃センサ、２１１・・・衝撃測定回路、３００・・・時計回路、４００・・・記録回路、４１０・・・温度データ記録領域、４２０・・・湿度データ記録領域、４３０・・・衝撃値データ記録領域、５００・・・バッテリ、６００・・・コントロール部、６１０・・・ＣＰＵ、６２０・・・フラッシュＲＯＭ
【図１】
2009199694.tif 000003
【図２】
2009199694.tif 000004
【図３】
2009199694.tif 000005
【図４】
2009199694.tif 000006
【図５】
2009199694.tif 000007
【図６】
2009199694.tif 000008